(57)【要約】【課題】２つの物品間を接続する長尺状体の長さを、２つの物品間の距離の変化に応じて調整することができる長さ調整装置を提供する。【解決手段】長さ調整装置１は、ベース部１０と、ベース部１０に設けられた第１巻掛部２０および第２巻掛部３０と、第１巻掛部２０および第２巻掛部３０のうちスライド移動可能に構成された巻掛部を、第１巻掛部２０および第２巻掛部３０が互いに離れる方向に付勢する付勢手段６０と、第１巻掛部２０および第２巻掛部３０に巻き掛けられた長尺状体５０と、長尺状体５０の一部を係止する係止部と、を備える。スライド移動可能に構成された巻掛部が、付勢手段６０の付勢力に抗してスライド移動した場合に、第１巻掛部２０から引き出された長尺状体の長さが長くなり、付勢手段６０の付勢力に従ってスライド移動した場合に、第１巻掛部２０から引き出された長尺状体の長さが短くなる。【選択図】図１
2017132565.tif 000002
【特許請求の範囲】
【請求項１】
ベース部と、
前記ベース部の一方側および他方側に設けられ、少なくとも一方が互いに近づく方向にスライド移動可能に構成された、第１巻掛部および第２巻掛部と、
前記第１巻掛部および前記第２巻掛部のうちスライド移動可能に構成された巻掛部を、前記第１巻掛部および前記第２巻掛部が互いに離れる方向に付勢する付勢手段と、
前記第１巻掛部から一端側が引き出され、前記第２巻掛部から他端側が引き出されるように、前記第１巻掛部および前記第２巻掛部に巻き掛けられた長尺状体と、
前記第２巻掛部に巻き掛けられている部分の前記長尺状体の一部または前記第２巻掛部から引き出されている部分の前記長尺状体の一部を、前記ベース部に対して不動となるように係止する係止部と、を備え、
前記スライド移動可能に構成された巻掛部が前記付勢手段の付勢力に抗してスライド移動した場合に、前記第１巻掛部から引き出された前記長尺状体の長さが長くなり、
前記スライド移動可能に構成された巻掛部が前記付勢手段の付勢力に従ってスライド移動した場合に、前記第１巻掛部から引き出された前記長尺状体の長さが短くなる、長さ調整装置。
【請求項２】
前記ベース部は、互いに対向する第１プレート部と第２プレート部とを含み、
前記第１巻掛部および前記第２巻掛部は、前記第１プレート部と前記第２プレート部との間に設けられている、請求項１に記載の長さ調整装置。
【請求項３】
前記第１巻掛部は、前記第２巻掛部に近づくようにスライド移動可能に設けられ、
前記ベース部は、前記第１巻掛部のスライド移動を案内する案内部を有し、
前記第１巻掛部は、スライド移動可能に前記案内部に係合する係合部を含む、請求項１または２に記載の長さ調整装置。
【請求項４】
前記第１巻掛部は、前記ベース部に対向する回転部を含み、
前記回転部は、前記ベース部に対向する方向を軸とする軸周りに回転可能に構成され、
前記回転部に前記長尺状体が巻き掛けられている、請求項１から３のいずれか１項に記載の長さ調整装置。
【請求項５】
前記第１巻掛部および前記第２巻掛部は、直線状に配置され、
前記長尺状体は、前記第１巻掛部および前記第２巻掛部を取り囲むように前記第１巻掛部および前記第２巻掛部に巻き掛けられている、請求項１から４のいずれか１項に記載の長さ調整装置。
【請求項６】
前記係止部は、前記第２巻掛部に設けられている、請求項１から５のいずれか１項に記載の長さ調整装置。
【請求項７】
請求項１から６のいずれか１項に記載の長さ調整装置と、
前記長尺状体の前記一端側に接続された第１物品と、
前記長尺状体の前記他端側に接続された第２物品と、を備え、
前記第１物品が、人体に装着可能に構成されている、機器。
【発明の詳細な説明】
【技術分野】
【０００１】
本発明は、２つの物品を接続する長尺状体の長さを調整する長さ調整装置およびこれを備えた機器に関する。
【背景技術】
【０００２】
従来、電源コード、ホース、ロープ等の各種の長尺状体をぜんまいバネ等の付勢手段によって巻き取ることができる巻き取り装置が開示された文献として、たとえば特許第４１０８０２４号公報（特許文献１）が開示されている。
【０００３】
特許文献１に開示の巻き取り装置は、ジグザグに設けられた案内経路によってリールに設けられた被案内部の移動を規制することにより、リールの回転方向を規制し、一度引き出された状態の長尺状体が、所定の距離以上さらに引き出されることを防止する。
【先行技術文献】
【特許文献】
【０００４】
【特許文献１】特許第４１０８０２４号公報
【発明の概要】
【発明が解決しようとする課題】
【０００５】
しかしながら、特許文献１に開示の巻き取り装置にあっては、長尺状体の先端側に接続された機器および巻き取り装置側の機器のいずれか一方が移動し、これら機器の距離が変化する場合には、機器間の距離の変化に十分に対応することができない。
【０００６】
一度長尺状体が引き出された状態から所定の距離以上に機器が移動しようとする場合には、長尺状体が突っ張り、機器に引張力が作用する。
【０００７】
一方で、所定の長さより大きく機器間の距離が変化することを想定して、長めに長尺状体を引き出した場合には、長尺状体が、撓んでしまい周囲のものに引っ掛かることが懸念される。
【０００８】
本発明は、上記のような問題に鑑みてなされたものであり、本発明の目的は、２つの物品間を接続する長尺状体の長さを、２つの物品間の距離の変化に応じて調整することができる長さ調整装置およびこれを備えた機器を提供することにある。
【課題を解決するための手段】
【０００９】
本発明に基づく長さ調整装置は、ベース部と、上記ベース部の一方側および他方側に設けられ、少なくとも一方が互いに近づく方向にスライド移動可能に構成された、第１巻掛部および第２巻掛部と、上記第１巻掛部および上記第２巻掛部のうちスライド移動可能に構成された巻掛部を、上記第１巻掛部および上記第２巻掛部が互いに離れる方向に付勢する付勢手段と、上記第１巻掛部から一端側が引き出され、上記第２巻掛部から他端側が引き出されるように、上記第１巻掛部および上記第２巻掛部に巻き掛けられた長尺状体と、上記第２巻掛部に巻き掛けられている部分の上記長尺状体の一部または上記第２巻掛部から引き出されている部分の上記長尺状体の一部を、上記ベース部に対して不動となるように係止する係止部と、を備える。上記スライド移動可能に構成された巻掛部が上記付勢手段の付勢力に抗してスライド移動した場合に、上記第１巻掛部から引き出された上記長尺状体の長さが長くなり、上記スライド移動可能に構成された巻掛部が上記付勢手段の付勢力に従ってスライド移動した場合に、上記第１巻掛部から引き出された上記長尺状体の長さが短くなる。
【００１０】
ここで、スライド移動可能に構成された巻掛部とは、第１巻掛部および第２巻掛部のうち第１巻掛部が移動する場合には第１巻掛部を指し、第２巻掛部および第２巻掛部のうち第２巻掛部が移動する場合には第２巻掛部を指し、第１巻掛部および第２巻掛部の両方がスライド移動可能に構成される場合には、第１巻掛部および第２巻掛部を指す。
【００１１】
上記本発明に基づく長さ調整装置にあっては、上記ベース部は、互いに対向する第１プレート部と第２プレート部とを含むことが好ましい。この場合には、上記第１巻掛部および上記第２巻掛部は、上記第１プレート部と上記第２プレート部との間に設けられていることが好ましい。
【００１２】
上記本発明に基づく長さ調整装置にあっては、上記第１巻掛部は、上記第２巻掛部に近づくようにスライド移動可能に設けられることが好ましい。この場合には、上記ベース部は、上記第１巻掛部のスライド移動を案内する案内部を有することが好ましく、上記第１巻掛部は、スライド移動可能に上記案内部に係合する係合部を含むことが好ましい。
【００１３】
上記本発明に基づく長さ調整装置にあっては、上記第１巻掛部は、上記ベース部に対向する回転部を含むことが好ましく、上記回転部は、上記ベース部に対向する方向を軸とする軸周りに回転可能に構成されることが好ましい。この場合には、上記回転部に上記長尺状体が巻き掛けられていることが好ましい。
【００１４】
上記本発明に基づく長さ調整装置にあっては、上記第１巻掛部および上記第２巻掛部は、直線状に配置されることが好ましい。この場合には、上記長尺状体は、上記第１巻掛部および上記第２巻掛部を取り囲むように上記第１巻掛部および上記第２巻掛部に巻き掛けられていることが好ましい。
【００１５】
上記本発明に基づく長さ調整装置にあっては、上記係止部は、上記第２巻掛部に設けられていることが好ましい。
【００１６】
本発明に基づく機器は、上記に記載の長さ調整装置と、上記長尺状体の上記一端側に接続された第１物品と、上記長尺状体の上記他端側に接続された第２物品と、を備える。上記第１物品が、人体に装着可能に構成されている。
【発明の効果】
【００１７】
本発明によれば、２つの物品間を接続する長尺状体の長さを、２つの物品間の距離の変化に応じて調整することができる長さ調整装置およびこれを備えた機器を提供することができる。
【図面の簡単な説明】
【００１８】
【図１】実施の形態１に係る長さ調整装置の斜視図である。
【図２】図１に示す長さ調整装置の側面図である。
【図３】図１に示す長さ調整装置の平面図である。
【図４】図１に示す長さ調整装置において、第１プレート部を取り外した状態の長さ調整装置の平面図であり、第２プレート部側を示す図である。
【図５】図１に示す長さ調整装置において、第２プレート部を取り外し状態の長さ調整装置の平面図であり、第１プレート部側を示す図である。
【図６】図１に示す長さ調整装置により長尺状体の長さが調整されている状態を示す斜視図である。
【図７】実施の形態１に係る長さ調整装置を備えた機器の使用例を示す図である。
【図８】実施の形態２に係る長さ調整装置の平面図である。
【図９】図８に示す長さ調整装置により長尺状体の長さが調整されている状態を示す斜視図である。
【発明を実施するための形態】
【００１９】
以下、本発明の実施の形態について、図を参照して詳細に説明する。なお、以下に示す実施の形態においては、同一のまたは共通する部分について図中同一の符号を付し、その説明は繰り返さない。
【００２０】
（実施の形態１）
図１は、実施の形態１に係る長さ調整装置の斜視図である。図２および図３は、図１に示す長さ調整装置の側面図および平面図である。図４は、図１に示す長さ調整装置において、第１プレート部を取り外した状態の長さ調整装置の平面図であり、第２プレート部側を示す図である。図５は、図１に示す長さ調整装置において、第２プレート部を取り外し状態の長さ調整装置の平面図であり、第１プレート部側を示す図である。なお、図２から図４においては、長尺状体を省略して図示している。図１から図５を参照して、実施の形態１に係る長さ調整装置１について説明する。
【００２１】
図１および図２に示すように、実施の形態１に係る長さ調整装置１は、ベース部１０、第１巻掛部２０、第２巻掛部３０、係止部４０、長尺状体５０、および付勢手段６０を備える。
【００２２】
ベース部１０は、長手形状を有する。ベース部１０は、第１巻掛部２０および第２巻掛部３０を支持する部位である。ベース部１０は、互いに対向する第１プレート部１１および第２プレート部１２を含む。
【００２３】
第１プレート部１１および第２プレート部１２は、一方向に延在するように設けられている。第１プレート部１１および第２プレート部１２は、板状形状を有し、外表面１１ａ，１２ａおよび内表面１１ｂ，１２ｂを有する。第１プレート部１１および第２プレート部１２は、たとえば、一方側および他方側が略半円形状となる角丸長方形状を有する。
【００２４】
なお、第１プレート部１１および第２プレート部１２の形状は、角丸長方形状に限定されず、長円形状等、楕円形状等のオーバル形状や、矩形形状等に適宜変更することができる。
【００２５】
第１プレート部１１および第２プレート部１２の長手方向の長さは、約９９.５ｍｍであり、第１プレート部１１および第２プレート部１２の短手方向の長さは、約３０ｍｍである。また、長手方向および短手方向に直交する第１プレート部１１および第２プレート部１２高さは、約７ｍｍである。
【００２６】
また、第１プレート部１１および第２プレート部１２は、たとえば樹脂部材によって構成されている。第１プレート部１１および第２プレート部１２の素材としては、たとえばポリカーボネイトが好ましい。
【００２７】
図３に示すように、第１プレート部１１は、案内部１３を有する。案内部１３は、第１プレート部１１を貫通するように設けられている。案内部１３は、略第１プレート部１１の中央部において、ベース部１０の長手方向に沿って設けられている。
【００２８】
図４に示すように、第２プレート部１２は、案内部１４を有する。案内部１４は、第２プレート部１２を貫通するように設けられている。案内部１４は、略第２プレート部１２の中央部において、ベース部１０の長手方向に沿って設けられている。
【００２９】
案内部１３，１４は、ほぼ同様の形状を有する。案内部１３，１４の長手方向の長さは、約７０ｍｍであり、案内部１３，１４の短手方向の長さは、約１０ｍｍである。案内部１３，１４は、互いに対向するように設けられている。
【００３０】
図２に示すように、第１プレート部１１および第２プレート部１２は、一方側において、固定プレート１５によって固定されている。固定プレート１５は、第１プレート部１１および第２プレート部１２が対向する方向に沿って延在する。固定プレート１５は、たとえば樹脂部材によって構成されている。固定プレート１５は、凹部１５ａおよびネジ溝１５ｂを有する。
【００３１】
固定プレート１５の凹部１５ａに、第１プレート部１１の一方側が嵌り込む。この状態で、固定プレート１５のネジ溝１５ｂに、第２プレート部１２の外表面１２ａに設けられたネジ挿通部１６に挿通されたネジ８０が螺合することにより、第１プレート部１１および第２プレート部１２が固定プレート１５に固定される。
【００３２】
また、第２プレート部１２には、クリップ部７０が設けられている。クリップ部７０部は、ヒンジ機構によって、回動可能に第２プレート部１２の外表面１２ａに連結されている。クリップ部７０は、第１プレート部１１および第２プレート部１２が対向する方向ならびに第２プレート部１２が延在する方向に直交する方向を軸とする軸周りに回動する。クリップ部７０によって長さ調整装置１を所定の位置に固定することができる。
【００３３】
図１から図５に示すように、第１巻掛部２０および第２巻掛部３０は、第１プレート部１１および第２プレート部１２との間に設けられている。第１巻掛部２０および第２巻掛部３０は、ベース部１０の長手方向に沿って直線状に配置されている。
【００３４】
第１巻掛部２０は、ベース部１０の長手方向の一方側に設けられている。第１巻掛部２０は、第２巻掛部３０に近づく方向にスライド移動可能に構成されている。
【００３５】
第１巻掛部２０は、軸部２１、回転部２２および係合部２３，２４を有する。軸部２１は、ベース部１０と回転部２２とが対向する方向に沿って延在する。軸部２１は、第１プレート部１１と第２プレート部１２とが対向する方向に沿って延在する。軸部２１は、ＳＵＳ３０４やアルミニウム等の金属材料によって構成されている。軸部２１の直径は、約２ｍｍであり、軸部２１の長さは、約１８ｍｍである。
【００３６】
回転部２２は、軸部２１の軸周りに回転可能に設けられている。回転部２２には、長尺状体５０が巻き掛けられる。回転部２２は、略円板形状を有する。回転部２２の周端面には、周方向に連続する溝部が設けられており、当該溝部の一部に長尺状体５０が巻き掛けられる。
【００３７】
回転部２２の直径は、略２４ｍｍであり、回転部２２の厚さは、略１３ｍｍである。回転部２２は、たとえば、樹脂部材によって構成されている。回転部２２の素材としては、ポリアセアールが好ましい。
【００３８】
このように回転部２２が設けられた場合には、後述する長尺状体５０の長さ調整時に、長尺状体５０をスムーズに移動させることができる。なお、第１巻掛部２０が、長尺状体５０を巻き掛け可能に構成される限り、回転部２２に代えて、回動不能のものが設けられていてもよい。
【００３９】
係合部２３，２４は、軸部２１の両端に設けられている。係合部２３，２４は、軸部２１の両端において、軸部２１の径方向に広がるように設けられている。係合部２３，２４は、略円板形状を有する。係合部２３は、第１プレート部１１の外表面１１ａ側に配置されている。係合部２４は、第２プレート部１２の外表面１２ａ側に配置されている。
【００４０】
係合部２３，２４の直径は、約１０ｍｍであり、係合部２３，２４の厚みは、約２ｍｍである。係合部２３，２４は、第１プレート部１１の外表面１１ａおよび第２プレート部１２の外表面１２ａを挟み込むことにより、第１プレート部１１の外表面１１ａおよび第２プレート部１２の外表面１２ａに摺動可能に引っ掛かっている。より具体的には、係合部２３，２４は、案内部１３，１４の両端から案内部１３，１４の内側に向けて突出するように設けられた第１プレート部１１の外表面１１ａおよび第２プレート部１２の外表面１２ａの段差部に引っ掛かっている。これにより、係合部２３，２４は、案内部１３，１４にスライド移動可能に係合する。
【００４１】
係合部２３，２４は、たとえば樹脂部材によって構成されている。係合部２３，２４の素材としては、第１プレート部１１および第２プレート部１２との摺動性の良好なものが好ましく、たとえばポリアセアールが好ましい。
【００４２】
第２巻掛部３０は、ベース部１０の長手方向の他方側に設けられている。第２巻掛部３０は、第２プレート部１２の内表面１２ｂから突出するように設けられている。第２巻掛部３０は、半円柱形状を有する。第２巻掛部３０は、第１巻掛部２０から離れるように凸となる曲面部３０ａを有する。当該曲面部３０ａに長尺状体５０が巻き掛けられる。
【００４３】
ベース部１０の長手方向に平行な第２巻掛部３０の長さは、約２８ｍｍであり、ベース部１０の短手方向に平行な第２巻掛部３０の長さは、約１３ｍｍである。第２巻掛部３０の厚さは、約１１ｍｍである。
【００４４】
第２巻掛部３０は、たとえば樹脂部材によって構成されている。第２巻掛部３０の素材としては、ポリカーボネイトが好ましい。第２巻掛部３０は、たとえば射出成形等によって第２プレート部１２と一体に成形されている。なお、第２巻掛部３０は、第２プレート部１２と別体に構成されていてもよい。
【００４５】
長尺状体５０は、第１巻掛部２０から一端側が引き出され、第２巻掛部３０から他端側が引き出されるように、第１巻掛部２０および第２巻掛部３０に巻き掛けられている。長尺状体５０は、第１巻掛部２０および第２巻掛部３０を取り囲むように第１巻掛部２０および第２巻掛部３０に巻き掛けられている。
【００４６】
長尺状体５０は、第１巻掛部２０から引き出された第１部分５０ａと、第２巻掛部３０から引き出された第２部分５０ｂと、第１巻掛部２０および第２巻掛部３０に巻き掛けられた第３部分５０ｃと、を含む。
【００４７】
第１部分５０ａの先端には、第１物品（不図示）が接続されている。第２部分５０ｂの先端には、第２物品（不図示）が接続されている。第３部分５０ｃは、環状形状を有し、第３部分５０ｃの内側に、第１巻掛部２０および第２巻掛部３０が位置する。
【００４８】
また、第３部分５０ｃは、第１プレート部１１と第２プレート部１２との間に位置する。これにより、後述する長尺状体５０の長さ調整時に、長尺状体５０が第１巻掛部２０および第２巻掛部３０から外れることを防止することができる。
【００４９】
係止部４０は、第１巻掛部２０が位置する側とは反対側に位置する第２巻掛部３０の周面に設けられている。具体的には、係止部４０は、第２巻掛部３０の曲面部３０ａに設けられている。係止部４０は、第２巻掛部３０の曲面部３０ａに設けられた凹部によって構成されている。
【００５０】
係止部４０は、第２巻掛部３０に巻き掛けられている部分の長尺状体５０の一部をベース部１０に対して不動となるように係止する。具体的には、上記凹部に長尺状体５０の一部が圧入されることにより、当該凹部に圧入された部分の長尺状体がベース部１０に対して不動となる。
【００５１】
付勢手段６０は、第１巻掛部２０および第２巻掛部３０が互いに離れる方向に第１巻掛部２０を付勢する。付勢手段６０は、たとえばバネ等の弾性部材によって構成されている。付勢手段６０の素材としては、ＳＷＰ−Ａ等が好ましい。付勢手段６０は、約５０ｇｆ程度の付勢力で、第１巻掛部２０を付勢する。
【００５２】
付勢手段６０は、第１巻掛部２０と第２巻掛部３０との間において、第１巻掛部２０寄りに設けられている。付勢手段６０は、第１プレート部１１の内表面１１ｂから突出するように設けられた２つのフック部１７に固定されている。付勢手段６０は、第１プレート部１１の案内部１３を跨ぐように設けられている。
【００５３】
なお、付勢手段６０は、第１プレート部１１に固定される場合に限定されず、第２プレート部１２に固定されてもよい。
【００５４】
図６は、図１に示す長さ調整装置により長尺状体の長さが調整されている状態を示す斜視図である。図６を参照して、長さ調整装置１の挙動について説明する。
【００５５】
長尺状体５０の第１部分５０ａの先端に接続された第１物品が、長さ調整装置１から離れる方向に移動する場合、すなわち、第１物品と第２物品との距離が長くなる場合には、第１部分５０ａが第１巻掛部２０から引き出される方向に引っ張られる。
【００５６】
この場合には、第１巻掛部２０に巻き掛けられている部分の長尺状体から第１巻掛部２０に対して、第２巻掛部３０に近づく方向に押圧力が作用する。これにより、第１巻掛部２０が付勢手段６０の付勢力に抗して第２巻掛部３０に近づくようにスライド移動する。
【００５７】
第１部分５０ａは、緊張状態が維持された状態で引っ張られるため、第１巻掛部２０が第２巻掛部３０に近づくようにスライド移動することにより、第１巻掛部２０および第２巻掛部３０に巻き掛けられていた部分の長尺状体の一部が、第１巻掛部２０から引き出される。これにより、第１巻掛部２０から引き出された長尺状体の長さが長くなる。
【００５８】
なお、第１巻掛部２０からは、第１巻掛部２０の移動量の略２倍の長さの長尺状体が引き出される。
【００５９】
一方で、長尺状体５０の第１部分５０ａが引っ張られた状態から、第１部分５０ａの先端に接続された第１物品が、長さ調整装置１に近づく方向に移動する場合、すなわち第１物品と第２物品との距離が短くなる場合には、第１部分５０ａが弛緩しようとする。
【００６０】
この場合には、付勢手段６０から第１巻掛部２０に対して、付勢力が作用している。これにより、第１巻掛部２０が付勢手段６０の付勢力に従って第２巻掛部３０から離れるようにスライド移動する。
【００６１】
この際、第１巻掛部２０から第１巻掛部２０に巻き掛けられている部分の長尺状体に対して、第２巻掛部３０から離れる方向に押圧力が作用する。このため、第１部分５０ａの一部が、緊張状態が維持された状態で第１巻掛部２０から引き込まれる。これにより、第１巻掛部２０から引き出された長尺状体の長さが短くなる。
【００６２】
なお、第１巻掛部２０からは、第１巻掛部２０の移動量の略２倍の長さの長尺状体が引き込まれる。
【００６３】
以上のように、本実施の形態に係る長さ調整装置１にあっては、第１巻掛部２０が第２巻掛部３０に近づくようにスライド移動可能に構成されるとともに、第１巻掛部２０が第２巻掛部３０から離れる方向に第１巻掛部２０を付勢する付勢手段６０を設けることにより、第１物品の移動に伴う第１物品および第２物品間の距離の変化に応じて、長尺状体の長さ（より具体的には、第１巻掛部２０から引き出される長尺状体の長さ）を調整することができる。
【００６４】
（長さ調整装置を備えた機器）
図７は、実施の形態１に係る長さ調整装置を備えた機器の使用例を示す図である。図７を参照して、長さ調整装置１を備えた機器１００について説明する。
【００６５】
図７においては、長尺状体５０の第１部分５０ａの先端に接続された第１物品１０１が、イヤホン、ヘッドホン等であり、長尺状体５０の第２部分５０ｂの先端に接続された第２物品１０２が、携帯電話機、スマートフォン、携帯情報端末、タブレット端末等の携帯端末装置であり、これらを備えた機器１００が電子機器である場合を例示している。この場合には、長尺状体５０は、配線等のケーブルによって構成される。
【００６６】
第１物品１０１は、人体２００の頭部２０１に装着されている。長さ調整装置１は、クリップ部７０によって使用者が身に着けた被服に固定されている。第２物品１０２は、使用者が身に着けた被服のポケット等に収容されている。
【００６７】
使用者が、頭部２０１を長さ調整装置１から離れる方向に動かした場合には、第１物品１０１が、長さ調整装置１から離れる方向に移動する。
【００６８】
この際、長さ調整装置１においては、第１巻掛部２０から引き出された長尺状体５０の第１部分５０ａが引っ張られることにより、第１巻掛部２０が付勢手段６０の付勢力に抗して第２巻掛部３０に近づくようにスライド移動する。第１巻掛部２０は、第１物品１０１の移動距離に応じて移動する。
【００６９】
これにより、第１物品１０１の移動量に応じた長さの長尺状体５０が、上述のように第１巻掛部２０から引き出され、第１巻掛部２０から引き出された長尺状体５０の第１部分５０ａの長さが長くなる。
【００７０】
一方、上記のように長尺状体５０の第１部分５０ａが第１巻掛部２０から引き出された状態から、使用者が、頭部２０１を長さ調整装置１に近づく方向に動かした場合には、第１物品が、長さ調整装置１に近づく方向に移動する。
【００７１】
この際、長さ調整装置１においては、第１巻掛部２０に対して付勢手段６０の付勢力が作用していることにより、第１巻掛部２０が付勢手段６０の付勢力に従って第２巻掛部３０から離れるようにスライド移動する。第１巻掛部２０は、第１物品１０１の移動距離に応じて移動する。
【００７２】
これにより、第１物品１０１の移動量に応じた長さの長尺状体５０が、上述のように第１巻掛部２０に引き込まれ、第１巻掛部２０から引き出された長尺状体５０の第１部分５０ａの長さが短くなる。
【００７３】
以上のように、上記の機器１００においても、長さ調整装置１を利用することにより、第１物品１０１の移動に伴う第１物品１０１および第２物品１０２間の距離の変化に応じて、長尺状体５０の長さ（より具体的には、第１巻掛部２０から引き出される長尺状体の長さ）を調整することができる。
【００７４】
なお、機器１００が電子機器として使用される場合においては、第２物品１０２が携帯端末装置である場合を例示して説明したが、これに限定されず、パーソナルコンピュータ、ゲーム機、テレビ受像機、携帯音楽プレーヤー、ＣＤプレーヤー、ＤＶＤプレーヤー、電子辞書、電子書籍リーダー、デジタルカメラ、ビデオカメラ、ラジオ受信機、ナビゲーションシステム等であってもよい。また、第１物品１０１もイヤホン、ヘッドホンに限定されず、ウェアラブル機器等であってもよい。
【００７５】
また、機器１００は、医療用機器として使用されてもよい。この場合には、第１物品１０１は、酸素マスク等や点滴の針等で使用されるカテーテルであってもよく、第２物品１０２は、酸素ボンベや薬液が収容された医療用容器であってもよい。この場合において、長尺状体５０は、可撓性を有するチューブ等によって構成される。
【００７６】
（実施の形態２）
図８は、実施の形態２に係る長さ調整装置の平面図である。図８を参照して、実施の形態２に係る長さ調整装置１Ａについて説明する。
【００７７】
図８に示すように、実施の形態２に係る長さ調整装置１Ａは、ベース部１０Ａ、第１巻掛部２０、第２巻掛部３０Ａ、係止部４０Ａ、長尺状体５０および付勢手段６０を備える。
【００７８】
ベース部１０Ａは、長手方向および短手方向を有する略板状形状を有する。ベース部１０Ａは、長手方向に沿って延在する案内部１３Ａが設けられている。
【００７９】
第１巻掛部２０は、ベース部１０Ａの一方側に設けられている。第１巻掛部２０は、案内部１３Ａによって、第２巻掛部３０Ａに近づく方向にスライド移動可能に構成されている。第１巻掛部２０は、実施の形態１に係る第１巻掛部２０とほぼ同様の構成を有する。
【００８０】
第２巻掛部３０Ａは、ベース部１０Ａの他方側に設けられている。第２巻掛部３０Ａは、ベース部１０Ａの長手方向において第１巻掛部２０と離間して配置されるとともに、ベース部１０Ａの短手方向においても第１巻掛部２０と離間して配置される。第２巻掛部３０Ａは、ベース部１０Ａ上に固定されている。第２巻掛部３０Ａは、円柱形状を有する。
【００８１】
長尺状体５０は、第１巻掛部２０から一端側が引き出され、第２巻掛部３０から他端側が引き出されるように、第１巻掛部２０および第２巻掛部３０Ａに巻き掛けられている。長尺状体５０は、略Ｓ字状に第１巻掛部２０および第２巻掛部３０Ａに巻き掛けられている。
【００８２】
係止部４０Ａは、ベース部１０Ａ上に設けられている。係止部４０Ａは、第２巻掛部３０Ａから引き出された長尺状体５０の第２部分５０ｂの一部をベース部１０Ａに対して不動となるように係止する。
【００８３】
係止部４０Ａには、長尺状体５０を圧入可能な圧入部（不図示）が設けられている。当該圧入部に長尺状体５０の一部を圧入することにより、当該圧入部に圧入された部分の長尺状体がベース部１０に対して不動となる。
【００８４】
付勢手段６０は、第１巻掛部２０が第２巻掛部３０Ａから離れる方向に第１巻掛部２０を付勢する。付勢手段６０は、実施の形態１に係る付勢手段６０とほぼ同様の構成を有する。
【００８５】
図９は、図８に示す長さ調整装置により長尺状体の長さが調整されている状態を示す斜視図である。図９を参照して、長さ調整装置１Ａの挙動について説明する。
【００８６】
長尺状体５０の第１部分５０ａの先端に接続された第１物品（不図示）が、長さ調整装置１から離れる方向に移動する場合には、実施の形態１同様に、第１巻掛部２０が付勢手段６０の付勢力に抗して第２巻掛部３０Ａに近づくようにスライド移動する。これにより、第１巻掛部２０および第２巻掛部３０Ａに巻き掛けられている部分の長尺状体（第３部分５０ｃ）の一部が、第１巻掛部２０から引き出され、第１巻掛部２０から引き出された長尺状体の長さが長くなる。
【００８７】
一方で、長尺状体５０の第１部分５０ａが引っ張られた状態から、第１部分５０ａの先端に接続された第１物品が、長さ調整装置１に近づく方向に移動する場合には、実施の形態１同様に、第１巻掛部２０が付勢手段６０の付勢力に従って第２巻掛部３０Ａから離れるようにスライド移動する。これにより、第１部分５０ａの一部が、緊張状態が維持された状態で第１巻掛部２０から引き込まれ、第１巻掛部２０から引き出された長尺状体の長さが短くなる。
【００８８】
以上のように、実施の形態２に係る長さ調整装置１Ａにおいても、実施の形態１とほぼ同様に長尺状体５０の長さを調整することができ、実施の形態１とほぼ同様の効果を得ることができる。また、実施の形態２に係る長さ調整装置１Ａは、実施の形態１に係る機器１００に用いることができ、実施の形態２に係る長さ調整装置１Ａを備えた機器においても、実施の形態１に係る機器１００とほぼ同様の効果を得ることができる。
【００８９】
（その他の変形例）
上述した実施の形態１，２においては、第１巻掛部２０が第２巻掛部３０，３０Ａに近づく方向にスライド移動可能に構成される場合を例示して説明したが、これに限定されず、第１巻掛部２０がベース部１０，１０Ａに固定され、第２巻掛部３０，３０Ａが第１巻掛部２０に近づく方向にスライド移動可能に構成されていてもよい。この場合には、付勢手段６０は、第２巻掛部３０，３０Ａが第１巻掛部２０から離れる方向に、第２巻掛部３０，３０Ａを付勢する。
【００９０】
また、第１巻掛部２０および第２巻掛部３０，３０Ａの両方が、互いに近づく方向にスライド移動可能に構成されていてもよい。この場合には、２つの付勢手段６０が設けられ、一方の付勢手段６０が、第１巻掛部２０が第２巻掛部３０，３０Ａから離れる方向に、第１巻掛部２０を付勢し、他方の付勢手段６０が、第２巻掛部３０，３０Ａが第１巻掛部２０から離れる方向に、第２巻掛部３０，３０Ａを付勢する。
【００９１】
また、第１巻掛部２０および第２巻掛部３０，３０Ａの形状は、長尺状体５０が巻き掛け可能に構成され、長尺状体５０の一端側が引っ張られた場合に、長尺状体が第１巻掛部２０から引き出し可能に構成される限り、適宜変更することができる。
【００９２】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００９３】
１，１Ａ  長さ調整装置、１０，１０Ａ  ベース部、１１  第１プレート部、１１ａ  外表面、１１ｂ  内表面、１２  第２プレート部、１２ａ  外表面、１２ｂ  内表面、１３，１３Ａ，１４  案内部、１５  固定プレート、１５ａ  凹部、１５ｂ  ネジ溝、１６  ネジ挿通部、１７  フック部、２０  第１巻掛部、２１  軸部、２２  回転部、２３，２４  係合部、３０，３０Ａ  第２巻掛部、３０ａ  曲面部、４０，４０Ａ  係止部、５０  長尺状体、５０ａ  第１部分、５０ｂ  第２部分、５０ｃ  第３部分、６０  付勢手段、７０  クリップ部、８０  ネジ、１００  機器、１０１  第１物品、１０２  第２物品、２００  人体、２０１  頭部。
【図１】
2017132565.tif 000003
【図２】
2017132565.tif 000004
【図３】
2017132565.tif 000005
【図４】
2017132565.tif 000006
【図５】
2017132565.tif 000007
【図６】
2017132565.tif 000008
【図７】
2017132565.tif 000009
【図８】
2017132565.tif 000010
【図９】
2017132565.tif 000011